(57)【要約】【課題】地球規模で長期間に亘って、地球大気は微粒子と火山性ガス含有空気からなる火山性外気になってしまう。火山性外気の中では動的機器の働きが損なわれ停止させざるを得ない事態が生じる恐れがある。動的機器を内包する建屋内の構造を変えずに、動的機器も変えずに、従来程度の清浄空気を取り入れるための換気をどのようにするかが課題である。【解決手段】  火山性外気換気装置を建屋に敷設して、建屋内側の清浄空気の圧力を建屋外側の火山性外気の圧力よりも高くする。【選択図】図2
2014214966.tif 000002
【特許請求の範囲】
【請求項１】
火山性微粒子除去装置は、建屋外側に敷設せる微粒子分離ループ部及び換気ポンプ(１００)からなり、
微粒子分離ループ部は、立上り管（２１）及び半円ループ管（２２）及びダストカートリッジ（５０）及び水平管（２４）からなり、
立上り管（２１）は、下端が火山性外気を吸入する吸入口（２１１）となっていて、垂直に上に伸びる管であり半円ループ管（２２）よりも太く、
半円ループ管（２２）は、立上り管（２１）の上端に接続していて、当該接続部を頂上として半円を描く管であり、
ダストカートリッジ（５０）は、半円ループ管（２２）に接続せる下記の水平管（２４）に結合され、粘液（５４）を内蔵しカートリッジ蓋（５２）で下部が閉じている交換可能な円筒であり、
当該ダストカートリッジ（５０）には、下記の水平管（２４）との結合部の下流側に上弦の月形状の微粒子止（５１）が付設されており、
水平管（２４）は、半円ループ管（２２）の最下点から水平に伸びた管であり、換気ポンプ(１００)に接続され、当該換気ポンプ(１００)の上下流にフィルタ(60)を内蔵し、
前記火山性微粒子除去装置を敷設した建屋の内外に圧力計を設置し、火山性外気から微粒子分離ループ部により微粒子を分離しフィルタ(60)により火山性ガスを分離した清浄空気を換気ポンプ(１００)で建屋内側に送風し、建屋内側の清浄空気の圧力を建屋外側の火山性外気の圧力よりも高くすることを特徴とする火山性外気換気装置。
【請求項２】
原子炉（１）を内包した格納容器（２）を格納している建屋（３）において、
建屋（３）に請求項1の火山性微粒子除去装置を敷設し、
格納容器（２）に格納容器換気装置を敷設し、
格納容器換気装置は、格納容器フィルタ（１１）及び格納容器ダクト（１２）及び排気ポンプ（１４）からなり、
格納容器ダクト（１２）は格納容器壁(300)を貫通し、当該ダクトの格納容器（２）外側部の建屋（３）内に排気ポンプ（１４）を接続し、当該排気ポンプ（１４）の排気側に格納容器フィルタ（１１）を敷設し、
建屋の内外及び格納容器内に圧力計を設置し、
排気ポンプ（１４）で格納容器（２）内雰囲気を建屋（３）内に放出することにより、格納容器（２）内圧力P2を建屋（３）内圧力P1よりも低くし、建屋（３）内圧力P1を火山性外氣圧力P0よりも高くしたことを特徴とする換気装置。
【発明の詳細な説明】
【技術分野】
【０００１】
本発明は、地球規模の大規模な火山噴火が起きたときでも長期間に亘って作動できる空気換気装置である。
【背景技術】
【０００２】
発電所を始め多くのプラント施設では、主要な機器は建屋に内包されている。大概は駆動部分を持つ故、空気が多くの微粒子を含有すると故障する恐れがある。
図１は従来の原子炉建屋概観図（非特許文献1）である。核燃料を内蔵している原子炉（１）は、1次格納施設の1つである格納容器（２）に格納されている。格納容器（２）は２次格納施設の1つである建屋（３）に格納されている。
格納容器（２）は冷却材喪失事故時等に、原子炉（１）からの核分裂生成物が環境へ放出されるのを防止し、抑制するための設備である。
建屋（３）は、原子炉（１）を格納している格納容器（２）を格納するだけでなく、ポンプやジーゼル発設備等を収納する。
事故時には、建屋（３）は放射性物質を封じ込め、建屋外に放射能を漏洩させないようにする。そのため、建屋（３）は、通常運転時においても建屋内圧力P1が大気圧P0よりも低くなるようにしている。
【非特許文献１】：平成21年、オーム社、神田他「原子力教科書  原子力プラント工学」。
【発明の開示】
【発明が解決しようとする課題】
【０００３】
近年、想定外の規模の地震発生に伴って発生した想定外の規模の津波により、甚大な被害が生じた。しかし、津波ばかりに注目するのは危険である。例えば、大規模な火山噴火（米国イエローストーン国立公園、富士山）が突然発生すると、地球規模で長期間に亘って、地球大気は微粒子と火山性ガス含有空気からなる火山性外気になってしまう。
微粒子は酸化ケイ素や酸化硫黄からなる。火山性ガス含有空気は従来の酸素や窒素を主体とした清浄空気及び火山性ガスからなる。火山性ガスは硫化水素や炭酸ガスからなる。
火山性外気の中では動的機器の働きが損なわれ停止させざるを得ない事態が生じる恐れがある。微粒子が回転軸の隙間に入ると回転に支障を来たす恐れがある。火山性ガスは機器を腐食させる恐れがある。
動的機器を内包する建屋内の構造を変えずに、動的機器も変えずに、従来程度の清浄空気を取り入れるための換気をどのようにするかが課題である。
動的機器を内包する建屋内の換気をするためには、どんな装置を使い、その装置でどのように換気するかが課題である。すなわち、装置単体だけでなく、その装置によって建屋内の換気をどのようにするかを具体的にしなければならない。
【課題を解決するための手段】
【０００４】
火山性微粒子除去装置は、建屋外側に敷設せる微粒子分離ループ部及び換気ポンプ(１００)からなる。
微粒子分離ループ部は、立上り管（２１）及び半円ループ管（２２）及びダストカートリッジ（５０）及び水平管（２４）からなる。
立上り管（２１）は、下端が火山性外気を吸入する吸入口（２１１）となっていて、垂直に上に伸びる管であり半円ループ管（２２）よりも太い。
半円ループ管（２２）は、立上り管（２１）の上端に接続していて、当該接続部を頂上として半円を描く管である。
ダストカートリッジ（５０）は、下記の水平管（２４）に結合され、粘液（５４）を内蔵し、カートリッジ蓋（５２）で下部が閉じている交換可能な円筒である。
当該ダストカートリッジ（５０）には、下記の水平管（２４）との結合部の下流側に上弦の月形状の微粒子止（５１）が付設されている。微粒子止（５１）の弓側形状は水平管（２４）の内面形状の一部と同じである。
水平管（２４）は、半円ループ管（２２）の最下点から水平に伸びた管であり、換気ポンプ(１００)に接続され、当該換気ポンプ(１００)の上下流にフィルタ(60)を内蔵している。硫化水素のような火山性ガスをフィルタ（６０）(物質としては活性炭素がよい)でろ過する。
前記火山性微粒子除去装置を敷設した建屋の内外に圧力計を設置し、火山性外気から微粒子分離ループ部により微粒子を分離しフィルタ（６０）により火山性ガスを分離した清浄空気を換気ポンプ(１００)で建屋内側に送風し、建屋内側の清浄空気圧力を建屋外側の火山性外気圧力よりも高くすることを特徴とする火山性外気換気装置。
【０００５】
立上り管（２１）は半円ループ管（２２）よりも太いから、火山性外気の吸入速度は遅い。したがって、比重の大きな微粒子は立上り管（２１）の中に吸入され難い。
半円ループ管（２２）に入りこんだ微粒子は遠心力を受けて、半円ループ管（２２）内面の外側に沿って下流に流れる。
半円ループ管（２２）の下端まで流れ水平管（２４）に入ってきた微粒子は、ダストカートリッジ（５０）に付設されている上弦の月形状の微粒子止（５１）に衝突して、ダストカートリッジ（５０）の中に落下する。微粒子止（５１）は、稠密固体の薄板または目が細かい網である。
ダストカートリッジ（５０）の底部に内蔵した水や液状糊のような粘液（５４）により、当該カートリッジに落下してきた微粒子はダストカートリッジからは逃れ難くなる。
微粒子は除去されたが火山性ガスを含有した火山性ガス含有空気は、水平管（２４）を通ってフィルタ（６０）で火山性ガスがろ過され清浄空気となった後、換気ポンプ(１００)に吸い込まれ、フィルタ（６０）で更にろ過された後建屋内側に清浄空気が放出される。
換気ポンプ(１００)の上流側のフィルタ（６０）はダストカートリッジ（５０）を外してから交換をすれば容易である。
建屋の内外に設置した圧力計を目視または遠隔監視して、建屋内側の清浄空気圧力が建屋外側の火山性外気圧力よりも高いことを確認する。基準を満たさなければ警報を発する。
換気ポンプ(１００)を仕様範囲で操作する。
換気ポンプ(１００)は、扇風機や換気扇のようにモータ回転軸にプロペラが直結した構造であれば、電源喪失してもプロペラが自由に回転できる。このようなポンプであるなら、何らかの事故により建屋（３）内圧力が異常に高くなった時でも建屋（３）内気体は換気ポンプ(１００)を逆流し立上り管（２１）から建屋（３）外に逃がれることができるから建屋（３）内圧力を抑制できる。放射能含有気体であっても、当該管の出口が地表に向かっているため、放射能は敷地外遠くまで影響することなく敷地内に留まる可能性が高い。
狭い日本では、いかなる汚染物も高い煙突から遠く広くばら撒くのは特に問題である。
【０００６】
原子炉（１）を内包した格納容器（２）を格納している建屋（３）において、上記の火山性微粒子除去装置を敷設して換気を実施する。
格納容器（２）に格納容器換気装置を敷設する。
格納容器換気装置は、格納容器フィルタ（１１）及び格納容器ダクト（１２）及び排気ポンプ（１４）からなる。
格納容器ダクト（１２）は格納容器壁(300)を貫通し、当該ダクトの格納容器（２）外側部の建屋（３）内に排気ポンプ（１４）を接続する。当該排気ポンプ（１４）の排気側に格納容器フィルタ（１１）を敷設する。
建屋の内外及び格納容器内に圧力計を設置し、随時遠隔監視する。
排気ポンプ（１４）で格納容器（２）内雰囲気を建屋（３）内に放出することにより、格納容器（２）内圧力P2を建屋（３）内圧力P1よりも低くし、建屋（３）内圧力P1を火山性外氣圧力P0よりも高くしたことを特徴とする換気装置とする。
建屋の内外に設置した圧力計を遠隔監視して、建屋内側の清浄空気圧力が建屋外側の火山性外気圧力よりも高いことを確認する。基準を満たさなければ警報を発する。
換気ポンプ(１００)を仕様範囲で操作する。
建屋の内側に設置した圧力計と格納容器内に設置した圧力計を遠隔監視して、格納容器内雰囲気圧力が建屋内側の清浄空気圧力よりも低いことを確認する。基準を満たさなければ警報を発する。排気ポンプ(１４)を仕様範囲で操作する。
【０００７】
現行の原子炉は、核燃料を内包する核燃料棒の品質向上や運転方法の向上や冷却水水質管理の向上で、冷却水中の放射能が低い。したがって、核燃料棒の大量破損までには至っていない事故直後または核燃料棒の大量破損ではない小量破損の事故であれば、原子炉からの放射能漏洩は少ない。環境に放出されたとしても影響は軽微である。冷却水喪失事故直後であれば、早期に高温高圧の蒸気を格納容器（２）から建屋（３）へ、更に外界へと放出したほうが、原子炉（１）、格納容器（２）、建屋（３）の大きな破損を回避できる可能性が高く、結局は環境への放射能漏洩は少なくて済む。
排気ポンプ（１４）も換気ポンプ(１００)同様に扇風機や換気扇のようにモータ回転軸にプロペラが直結した構造であれば、格納容器（２）内圧力が異常に高くなった時でも、格納容器（２）内気体は排気ポンプ（１４）から建屋（３）内に逃れることができるから格納容器（２）内圧力を抑制できる。
放射能放出が長期化する場合は、立上り管（２１）の吸入口（２１１）にフィルタ（６０）製の袋で覆ったり、吸入口（２１１）周辺に霧状水（沃素含有するとなおよい）を放水したりすれば、環境への影響を抑制できる。霧状水により放射能を吸着できる。
吸入口（２１１）は下向きに開いているため、放射能は敷地内に留まり敷地外への広がりは少ない。最近のフィルタは、花粉対策やPM2.5対策によって性能が向上しているから、放射能を帯びた固体のろ過にも優れている。
【発明の効果】
【０００８】
微粒子が比較的大きく大量であるとフィルタが目詰まりし、頻繁な交換が必要である。しかるに、本発明では最初に微粒子を除去し、除去した微粒子はカートリッジの中に長期間滞留させることができる。時々、カートリッジから微粒子のみを取り除けばよい。カートリッジやフィルタ（６０）が長持ちする。
建屋内側には、微粒子が除去されて、従来程度の固体不純物を含有した清浄空気が充満しているから、従来の機器がそのまま使える。
硫化水素のような火山性ガスは換気ポンプ(１００)の上流側にあるフィルタ（６０）でろ過されるため、換気ポンプ(１００)の腐食は少なくなる。
吸入口（２１１）の口が地表に向かっているため、建屋側の圧力が異常に上昇した場合、建屋内の雰囲気（放射能に汚染されている場合もある）は逆流して放射能のような汚染物は敷地外遠くまで影響することなく敷地内に留まる可能性が高い。汚染物の拡散が抑制できる。
世界の何所かで大規模な噴火があり、長期間世界が火山性外気で覆われたとしても、原子力発電所や火力発電所を稼動させることができる。
原子力発電所の格納容器は密封状態に近い（格納容器内圧力は格納容器を覆う建屋の圧力よりも低くしてある）から外気からの影響は受け難いように思われるが、格納容器を覆う建屋に微粒子が浮遊していれば、格納容器内に微粒子が漏洩してくることも考えられる。しかし、本発明の換気装置を敷設した高圧建屋であれば、それは阻止できる。
補助機器を格納した建屋内は外界の空気が入ってくるから影響を受ける。例えば非常用ジーゼル発電機。エンジン吸気口にはフィルターがあるから比較的影響は受け難いが、発電機や電気接続部にはフィルタがないから、微粒子による絶縁不良が考えられる。
火力発電所でも似たようなことが考えられる。
建屋を完全密封することは難しく、気体漏洩は避け難い。本発明では建屋内の圧力は外界の圧力よりも若干高くなっているから、外界の火山性外気は建屋内に入ってこない。
火山性外気換気装置は、事故等で建屋内圧力が急上昇した場合に建屋内圧力を緩和するためにも利用できる。建屋壁（２００）を貫通する管を少なくできる。万一の場合は、ダストカートリッジ（５０）を外し水平管（２４）から水を建屋内に注水できる。
【発明を実施するための最良の形態】
【０００９】
外界の大気が腐食性ガスや微粒子を含有する火山性外気の場合の換気装置である。
【実施例１】
【００１０】
図２は本発明の火山性外気換気装置概観図である。
微粒子分離ループ部は、立上り管（２１）及び半円ループ管（２２）及びダストカートリッジ（５０）及び水平管（２４）からなる。
立上り管（２１）は、下端が火山性外気を吸入する吸入口（２１１）となっていて、垂直に上に伸びる管であり半円ループ管（２２）よりも太い。
半円ループ管（２２）は、立上り管（２１）の上端に接続していて、当該接続部を頂上として半円を描く管である。
ダストカートリッジ（５０）は、半円ループ管（２２）の最下点下側に接続された下記の水平管（２４）に結合されている。ダストカートリッジ（５０）はカートリッジ蓋（５２）で下部が閉じている交換可能な円筒である。ダストカートリッジ（５０）の中には粘液（５４）を内蔵している。
当該ダストカートリッジ（５０）には、下記の水平管（２４）との結合部の下流側に上弦の月形状の微粒子止（５１）が付設されている。微粒子止（５１）の弓側形状は下記の水平管（２４）の内面形状である。
ダストカートリッジ（５０）は、下記の水平管（２４）側に付設した管側結合部（３３）とダストカートリッジ（５０）側に付設したカートリッジ側結合部（５３）を結合して固定されている。
水平管（２４）は、半円ループ管（２２）の最下点から水平に伸びた管であり、換気ポンプ(１００)に接続され、当該換気ポンプ(１００)の上下流にフィルタ(60)を内蔵している。    
火山性外気から微粒子分離ループ部により微粒子を分離しフィルタ(60)により火山性ガスを分離した清浄空気を換気ポンプ(１００)で建屋内側に送風し、建屋内側の清浄空気圧力を建屋外側の火山性外気圧力よりも高くする。
立上り管（２１）は太いから、火山性外気の流入速度は遅くなる。したがって、密度の大きい微粒子は吸入口（２１１）から吸入され難い。
半円ループ管（２２）に流入した火山性外気の内、密度の大きい微粒子は当該半円ループ管（２２）により円形軌道をとらされ遠心力により当該半円ループ管（２２）外側に沿って流れる。密度の小さい気体（酸素、窒素、硫化水素ガス）は当該半円ループ管（２２）の中心部や内側部を含む大部分を流れる。
半円ループ管（２２）の外側に沿って流れた密度の大きい微粒子は、当該半円ループ管（２２）の最下点に接続せる水平管（２４）に結合せるダストカートリッジ（５０）の中に落下する。勢いのある粒子は微粒子止（５１）にぶつかってダストカートリッジ（５０）の中に落下する。
ダストカートリッジ（５０）の中に落下した粒子は、粘液（５４）に捕獲されて上には上がれない。
密度の小さい火山性ガスはフィルタ（６０）でろ過される。硫化水素はフィルタ（６０）（例えば活性炭素）に吸着される。ろ過された清浄空気は換気ポンプ（１００）に吸い込まれる。換気ポンプ（１００）は清浄な空気に接触するから故障は少ない。換気ポンプ（１００）に吸い込まれた清浄空気は、更にフィルタ（６０）でろ過されて建屋内側に放出される。
建屋を完全に密封することはできないから、建屋内圧力が火山性外気圧力よりも低いと、火山性外気は建屋内に入りこんで、建屋内の機器を故障させる恐れがある。本発明のように建屋内側を清浄な空気で高圧にすれば火山性外気は建屋内に入りこめない。
建屋の内外に圧力計を設置して随時監視する。遠隔操作するのがよい。
万一、建屋内側が事故で高圧になった場合、かつ換気ポンプ（１００）が電源喪失等により停止しても、換気ポンプ（１００）が扇風機のように自由回転すれば、建屋内の高圧気体は立上り管（２１）の吸入口（２１１）から大気中に放出される。建屋内の気体が放射能を帯びていたとしてもフィルタ（６０）でろ過される。
吸入口（２１１）は下向きに開いているため建屋内の気体が放射能を帯びていても敷地内に放出される。長期間放出が続くようであれば、吸入口（２１１）にフィルタを備えたり、散水したり、巨大な袋（温室用覆い、ドーム、落下傘、気球、飛行船の雰囲気置換）に蓄積する。
【実施例２】
【００１１】
図３は本発明の火山性外気対応原子炉建屋概観図である。
核燃料を内蔵した原子炉（１）は格納容器（２）に格納されている。格納容器（２）は建屋（３）に格納されている。
建屋（３）に前記火山性微粒子除去装置を敷設する。
格納容器（２）に格納容器換気装置を敷設する。
格納容器換気装置は、格納容器フィルタ（１１）及び格納容器ダクト（１２）及び排気ポンプ（１４）からなる。
格納容器ダクト（１２）は格納容器壁(300)を貫通し、当該ダクトの格納容器（２）外側部の建屋（３）内に排気ポンプ（１４）を接続する。当該排気ポンプ（１４）の排気側に格納容器フィルタ（１１）を敷設する。フィルタには例えば、活性炭素がある。
排気ポンプ（１４）で格納容器（２）内雰囲気を建屋（３）内に放出する。
格納容器（２）内雰囲気は原子炉（１）から格納容器（２）に漏洩してきた希ガスや水蒸気がある。放射能を帯びている場合がある。
格納容器（２）の密封性能は高いがゼロではないから、排気ポンプ（１４）により格納容器（２）内圧力P2を建屋（３）内圧力P1よりも低くすれば、放射能を帯びている可能性がある雰囲気が直接建屋（３）に漏洩することがない。
前記火山性微粒子除去装置により建屋（３）内圧力P1を火山性外氣圧力P0よりも高くすれば、火山性外気が建屋（３）内に侵入してこない。
建屋（３）の密封性能は格納容器（２）程には高くない。そこで、上記火山性微粒子除去装置によりろ過した清浄空気を建屋（３）内に換気ポンプ（１００）で送り込む。
万一、格納容器（２）内圧力が事故（例えば冷却材喪失事故）により急激に上昇した場合、放射能を帯びた蒸気は、格納容器換気装置の格納容器フィルタ（１１）によりろ過されて建屋（３）内に放出される。放射能を帯びた蒸気は、更に前記火山性微粒子除去装置のフィルタ(60)によりろ過されて建屋（３）の外に放出される。
格納容器（２）や建屋（３）は、放射能が直接外界に拡散するのを抑制すると共に、外界から原子炉（１）への侵害を阻止する。
【産業上の利用可能性】
【００１２】
大規模な噴火が起きると雨は酸性雨となり、ダムの腐食を強めるであろうから水力発電にも影響する。昼間でも太陽は霞み太陽光発電にも影響する。風力発電は羽や回転部に支障が来たすであろう。微粒子や腐食性ガスはジーゼルエンジンやガスタービンによる火力光発電にも影響する。石炭発電といえども動的機器が使われるから影響を受ける。
元来、原子力発電は格納容器と建屋で二重に覆われているから、本発明を実施した原子力発電は影響が軽微である。なお、供給は需要（安い電気）のためであるから、原子力発電が高くなれば本来存在しえないが、原子力発電には保険の意味もある。
動的部分の多いガソリンエンジンは影響をうける。環境的には電気自動車の意義が薄れるが、原子力発電と電気自動車の組み合わせは比較的大規模な噴火には強いと考えられる。
穀物を輸入しようにも外国も露地栽培農業が壊滅的であり、貨物船が動くかどうかも判らない状況では、原子力発電と温室・屋内酪農・屋内養殖・ドーム式農業の可能性がある。
安全の定義は曖昧である。安全カミソリでも怪我はする。安全弁が故障すれば大事故になる可能性がある。新鮮な牛乳でもアレルギー体質の人には毒になる。比較的危険が小さいものを安全とするなら安全だと思って安心感を持つが定性的であるから個人差がある。    
落語には天が落ちてこないかと心配する人も登場する。こういう人を説得しようとしても無駄である。ただ、無視はしないで悩みを聞いてやる忍耐心は重要である。
原発の有ることを不安がる人がいるが、この人は原発の無いことは考えない。説得しても無駄である。
大抵の人は日々の仕事に夢中になって（生活のためや楽しさのあまり）、原発のことには気が回らない。こういった人を対象とした広報には意味がある。しかし、広報の現状は、従来から原発に理解のある固定層に対してもっと原発が好きになるように努力している。莫大な金をかけて大量のパンフレットを電力、メーカ、行政機関窓口に持ち込んでよしとしている。楽ではあるが意味が無い。
自分の気にいる仕事がないから悩み続ける人は、不満の対象として反原発になる傾向がある。このような人に噴火対応に原発が良いといっても反発するだけだから説得しないで聞き及んでおけばよい。広報の対象にしてはいけない。記事の無い時には反原発報道が多くなるが反応すれば返って反原発の機運が生じてしまう。電力、メーカ、ゼネコン、製造会社は反原発報道の多い局（番組ではない）へのあらゆるCM（娯楽番組でも提供がメーカでは曲解される。局を懐柔するためにCMを出している）は誤解を招く恐れがあるから遠慮すべきであろう。距離を置く必要がある。会社の顔であるCMを出すからには当該局全体に気を使わなければならない。局側も反原発報道しながら原発関連社のCMを流すのも節操がない。
【図面の簡単な説明】
【００１３】
【図１】図1は、従来の原子炉建屋概観図。
【図２】図２は、本発明の火山性外気換気装置概観図。
【図３】図３は、本発明の火山性外気対応原子炉建屋概観図。
【符号の説明】
【００１４】
１は原子炉。
２は格納容器。
３は建屋。
１１は格納容器フィルタ。
１２は格納容器ダクト。
１４は排気ポンプ。
２1は立上り管。
２２は半円ループ管。
２４は水平管。
３３は管側結合部。
５０はダストカートリッジ。
５１は微粒子止。
５２はカートリッジ蓋。
５３はカートリッジ側結合部。
５４は粘液。
６０はフィルタ。
１００は換気ポンプ。
２００は建屋壁。
２１１は吸入口。
３００は格納容器壁。
【図１】
2014214966.tif 000003
【図２】
2014214966.tif 000004
【図３】
2014214966.tif 000005